(57)【特許請求の範囲】
【請求項１】
画像読取装置によって複数の原稿画像を順次読み取って得られた原稿画像の画像データに、複数の画像処理を施して出力する画像処理装置であって、
画像読取装置によって原稿画像単位で読み取られた複数の画像データを、原稿画像単位で画像処理直前の画像データとしてそれぞれ記憶する複数のメモリと、
前記複数のメモリそれぞれから原稿画像単位で画像データを順次読み出して、順次読み出した画像データに対し、複数の画像処理を施す画像処理部と、
画像データの入出力を行なうための画像データバスと、制御データの入出力を行なうための制御バスとを有し、
前記複数のメモリはそれぞれ並列に配置され、それぞれのメモリが前記画像データバスおよび前記制御バスに直接接続されており、前記制御バスから入出力される前記制御データに応じて、前記複数のメモリそれぞれが独立して前記画像データの入出力を行うよう設定され、かつ、前記複数の画像処理の画像処理条件それぞれは、前記画像処理部による各画像データの読み出しに先がけて、画像読取装置によって読み取られた各画像データに応じて各画像データ毎にそれぞれ設定され、前記画像処理部は、前記複数のメモリそれぞれから順次読み出した画像データに対し、前記複数の画像処理をパイプライン処理によって施すよう設定されており、
この設定状態で、前記複数のメモリのうちの画像データが記憶されていないメモリが、前記画像読取装置によって読み取られた画像データを受け付けて記憶し、この記憶の最中に、前記複数のメモリのうちの前記画像データが記憶されているメモリが前記画像データを前記画像処理部に出力し、かつ、前記画像処理部が画像処理を施すに際し、前記画像データの読み出しを開始して前記メモリを空にするまでの時間は、前記一方のメモリに画像データを記憶するために、前記画像読取装置によって原稿画像単位で画像データを読み取る時間に比べて短くなっていることを特徴とする画像処理装置。
【請求項２】
前記画像処理部は、前記画像データに対し、色／階調処理、変倍処理、ダイナミックレンジ処理、シャープネス処理のうち、２つ以上の処理をパイプライン処理によって施すものであることを特徴とする請求項１に記載の画像処理装置。
【請求項３】
前記画像処理部が画像処理を施すに際し、前記画像処理部が前記メモリから前記画像データの読み出しを開始して前記メモリを空にするまでの時間は、前記画像読取装置によって原稿画像単位で、フィルムに撮影された画像の画像データを光電的に読み取る時間に比べて短いことを特徴とする請求項１または２に記載の画像処理装置。
【発明の詳細な説明】
【０００１】
【発明の属する技術分野】
本発明は、画像読取装置で読み取られた画像データに画像処理を施す画像処理装置の技術分野に属し、特に、デジタルフォトプリンタ等のように、連続的に原稿画像の読み取りを行って、仕上りプリントを連続的に出力するシステムに好適に利用される、高速処理が可能な画像処理装置に関する。
【０００２】
【従来の技術】
現在、ネガフィルム、リバーサルフィルム等の写真フィルム（以下、フィルムとする）に撮影された画像の印画紙等の感光材料への焼き付けは、フィルムの画像を感光材料に投影して感光材料を面露光する、いわゆる直接露光による方法が主流である。
これに対し、近年、デジタル露光を利用する焼付装置、すなわち、フィルムに撮影された画像を光電的に読み取って、種々の画像処理を施して記録用のデジタル画像データとし、この画像データに応じて変調した記録光によって感光材料を走査露光して画像（潜像）を記録し、現像処理してプリントとするデジタルフォトプリンタが開発され、実用化された。
【０００３】
デジタルフォトプリンタでは、フィルムを光電的に読み取り、信号処理によって色／濃度補正等が行われて露光条件が決定されるため、１画像当たりの露光にかかる時間は短時間であり、また、露光時間も画像サイズに応じて一定であるため、従来の面露光に比して迅速な焼き付けを行うことができる。
しかも、画像合成や画像分割等の編集や、色／濃度調整等の画像処理も自由に行うことができ、用途に応じて自由に編集、画像処理を施した仕上りプリントを出力できる。また、仕上りプリントの画像を画像データとしてＭＯ（光磁気記録媒体）等の記録媒体に保存できるので、焼増し等の際に、原稿となるフィルムを用意する必要がなく、かつ再度露光条件を決定する必要がないので迅速かつ簡易に作業を行うことができる。
さらに、従来の直接露光によるプリントでは、分解能、色／濃度再現性等の点で、フィルム等に記録されている画像をすべて再生することはできないが、デジタルフォトプリンタによればフィルムに記録されている画像（濃度情報）をほぼ１００％再生したプリントが出力可能である。
【０００４】
このようなデジタルフォトプリンタは、基本的に、画像読取装置（スキャナ）、画像処理装置、および画像記録装置（プリンタ）から構成される。
スキャナでは、光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の処理を施した後に、フィルムの画像データ（画像情報）として画像処理装置に送る。
画像処理装置は、スキャナから転送された画像データに応じて画像処理条件を設定して、必要に応じて設定した条件に応じて処理された画像をディスプレイに画像を表示してオペレータによる検定および画像処理条件の調整が行われた後、設定した画像処理を画像データに施し、画像記録のための出力画像データ（露光条件）としてプリンタに送る。
プリンタでは、例えば、光ビーム走査露光を利用する装置であれば、画像処理装置から送られた画像データに応じて光ビームを変調して、この光ビームを主走査方向に偏向すると共に、主走査方向と直交する副走査方向に感光材料（印画紙）を搬送することにより、画像を担持する光ビームによって感光材料を２次元的に露光（焼付け）して潜像を形成し、次いで、感光材料に応じた現像処理等を施して、フィルムに撮影された画像が再生された仕上りプリント（写真）として出力する。
【０００５】
このようなデジタルフォトプリンタにおいては、スキャナによってフィルムに撮影された画像を１コマずつ連続的に読み取って、読み取りを終了した画像データを順次画像処理装置に転送して画像処理を施し、処理を終了した画像データを順次プリンタに転送して、転送された順に連続的に露光が行われる。
従って、高い生産性を実現するためには、スキャナ、画像処理装置およびプリンタが他の部位の律速になることがなく、各装置が常に作動して、連続的に処理を行うのが好ましい。
そのため、デジタルフォトプリンタの画像処理装置には、スキャナによる画像読取やプリンタによる画像記録の停止を招かない処理速度、具体的には、スキャナが読み取りを終了した画像データの画像処理装置への転送を待機したり、プリンタが画像処理装置からの画像データの転送を待ったりすることがない処理速度が要求され、画像処理装置における処理速度には、より以上の高速化が要求されている。
【０００６】
【発明が解決しようとする課題】
本発明の目的は、スキャナから連続的に画像データを受け取り、これを高速で連続的に処理することができ、デジタルフォトプリンタのように、高速での仕上りプリントの出力を要求される用途に特に好適に利用される画像処理装置を提供することにある。
【０００７】
【課題を解決するための手段】
前記目的を達成するために、本発明は、画像読取装置によって複数の原稿画像を順次読み取って得られた原稿画像の画像データに、複数の画像処理を施して出力する画像処理装置であって、画像読取装置によって原稿画像単位で読み取られた複数の画像データを、原稿画像単位で画像処理直前の画像データとしてそれぞれ記憶する複数のメモリと、前記複数のメモリそれぞれから原稿画像単位で画像データを順次読み出して、順次読み出した画像データに対し、複数の画像処理を施す画像処理部と、画像データの入出力を行なうための画像データバスと、制御データの入出力を行なうための制御バスとを有し、前記複数のメモリはそれぞれ並列に配置され、それぞれのメモリが前記画像データバスおよび前記制御バスに直接接続されており、前記制御バスから入出力される前記制御データに応じて、前記複数のメモリそれぞれが独立して前記画像データの入出力を行うよう設定され、かつ、前記複数の画像処理の画像処理条件それぞれは、前記画像処理部による各画像データの読み出しに先がけて、画像読取装置によって読み取られた各画像データに応じて各画像データ毎にそれぞれ設定され、前記画像処理部は、前記複数のメモリそれぞれから順次読み出した画像データに対し、前記複数の画像処理をパイプライン処理によって施すよう設定されており、この設定状態で、前記複数のメモリのうちの画像データが記憶されていないメモリが、前記画像読取装置によって読み取られた画像データを受け付けて記憶し、この記憶の最中に、前記複数のメモリのうちの前記画像データが記憶されているメモリが前記画像データを前記画像処理部に出力し、かつ、前記画像処理部が画像処理を施すに際し、前記画像データの読み出しを開始して前記メモリを空にするまでの時間は、前記一方のメモリに画像データを記憶するために、前記画像読取装置によって原稿画像単位で画像データを読み取る時間に比べて短くなっていることを特徴とする画像処理装置を提供する。
なお、前記画像処理部は、前記画像データに対し、色／階調処理、変倍処理、ダイナミックレンジ処理、シャープネス処理のうち、２つ以上の処理をパイプライン処理によって施すものであることが好ましい。また、前記画像処理部が画像処理を施すに際し、前記画像処理部が前記メモリから前記画像データの読み出しを開始して前記メモリを空にするまでの時間は、前記画像読取装置によって原稿画像単位で、フィルムに撮影された画像の画像データを光電的に読み取る時間に比べて短いことが好ましい。
【０００８】
【発明の実施の形態】
以下、本発明の画像処理装置について、添付の図面に示される好適実施例を基に詳細に説明する。
【０００９】
図１に、本発明の画像処理装置を用いるデジタルフォトプリンタの概略図が示される。
図１に示されるデジタルフォトプリンタ１２は、本発明の画像処理装置１０と、スキャナ１４と、プリンタ１６とから構成されるものであり、スキャナ１４によってフィルムＦ等に撮影された画像を１コマずつ順次読み取って、画像データを画像処理装置１０に出力し、画像処理装置１０で所定の画像処理を施して記録のための画像データとしてプリンタ１６に出力し、プリンタ１６で画像データに応じて変調した光ビームで感光材料Ｚを走査露光して、現像処理を施し、仕上りプリントＰとして出力する。
【００１０】
本発明の画像処理装置１０に画像データを供給するスキャナ１４は、フィルムＦに撮影された画像を１コマずつ光電的に読み取る装置で、光源１８と、可変絞り２０と、フィルムＦに撮影された画像をＲ（赤）、Ｇ（緑）およびＢ（青）の三原色に分解するためのＲ、ＧおよびＢの３枚の色フィルタを有し、回転して任意の色フィルタを光路に作用できる色フィルタ板２２と、フィルムＦに入射する読取光をフィルムＦの面方向で均一にするための拡散ボックス２４と、結像レンズ２６と、フィルムに撮影された画像を１枚読み取るエリアセンサであるＣＣＤセンサ２８と、アンプ３０と、Ａ／Ｄ変換器３２と、信号をｌｏｇ変換して濃度信号とするＬＵＴ（ルックアップテーブル）３４とを有して構成される。
【００１１】
このようなスキャナ１４においては、光源１８から射出され、可変絞り２０によって光量調整され、色フィルタ板２２を通過して色調整され、拡散ボックス２４で拡散された読取光がフィルムＦに入射して、透過することにより、フィルムＦに撮影された画像を担持する投影光を得る。
この投影光は、結像レンズ２６によってＣＣＤセンサ２８の受光面に結像され、ＣＣＤセンサ２８によって光電的に読み取られる。ＣＣＤセンサ２８からの出力信号は、アンプ３０で増幅され、Ａ／Ｄ変換器３２によってデジタル信号化され、ＬＵＴ３４で濃度信号とされ、フィルムＦに撮影された画像の画像データとして本発明の画像処理装置１０に送られる。
【００１２】
スキャナ１４では、このような画像読取を、色フィルタ板２２のＲ、ＧおよびＢの３枚の色フィルタを順次挿入して３回行うことにより、フィルムＦに撮影された１コマの画像をＲ、ＧおよびＢの３原色に分解して読み取る。
なお、図示例の装置においては、プリンタ１６に出力するための画像データを得る本スキャンに先立ち、可変絞り２０の絞り量の決定や画像処理条件の設定等を行うために低解像度で画像を読み取るプレスキャンが行われる。すなわち、スキャナ１４は、１コマの画像読み取りで合計６回の画像読み取り（画像データの出力）を行う。
１コマの読み取りが終了すると、図示しない送り手段によってフィルムＦが１コマ分だけ送られて、次のコマが読取位置に搬送され、後述する画像処理装置１０のメモリが空いていれば、続けて、次のコマの読み取りが行われる。
【００１３】
画像処理装置１０は、スキャナ１４から送られた画像データに所定の画像処理を施して、プリンタ１６に出力すると共に、デジタルフォトプリンタ１２全体の制御および操作を行うものであり、第１メモリ３６、第２メモリ３８、画像処理部４０、ＣＰＵ４２、表示・操作系４４、画像データバス４６および制御バス４８を有して構成される。
なお、図示例のデジタルフォトプリンタ１２においては、画像処理装置１０に接続されるスキャナは１台であるが、本発明の画像処理装置に接続されるスキャナ（画像読取装置）は１台に限定はされず、２台あるいはそれ以上の複数台のスキャナが接続されてもよい。また、図示例のようなフィルムＦ（透過原稿）の読み取りを行うスキャナ以外にも、印刷物や写真の画像読取を行うスキャナが接続されてもよい。
さらに、画像処理装置１０に接続されるプリンタも１台に限定はされず、複数台のプリンタが接続されてもよく、また、画像データを記憶するＨＤ（ハードディスク）や、光磁気記録ディスクやフロッピーディスク等のメディアへの記録手段が接続され、これらに処理済あるいは未処理の画像データを出力してもよい。
【００１４】
第１メモリ３６および第２メモリ３８は、基本的に同じフレームメモリであって、スキャナ１４から送られた１コマ分の画像データは、第１メモリ３６か第２メモリ３８のいずれかに記憶される。両メモリは、基本的に交互に使用される。この点に関しては、後に詳述する。
なお、本発明の画像処理装置においては、メモリは２つに限定はされず、３つ以上のメモリを有するものであってもよい。また、第１メモリ３６や第２メモリ３８を本スキャン画像データ専用のメモリとして用い、プレスキャン画像データ専用のメモリを、１つあるいは複数、別途設けてもよい。
【００１５】
画像処理部４０は、スキャナ１４から送られ、第１メモリ３６および第２メモリ３８に記憶された画像データを読み出して画像処理を施し、プリンタ１６による記録に応じた画像データとするものであり、メモリや各種の処理回路が組み合わせて構成される。
本発明の画像処理装置１０においては、画像処理部４０はパイプライン処理によって画像処理を施すものであり、図示例においては、画像の色および階調補正を行う色／階調処理部４０ａ、画像の拡大および縮小を行う変倍処理部４０ｂ、画像データのダイナミックレンジの圧縮および伸長を行うダイナミックレンジ処理部４０ｃ、およびシャープネス処理（輪郭強調）を行うシャープネス処理部４０ｄを有して構成される。
【００１６】
ＣＰＵ４２は、第１メモリ３６および第２メモリ３８に記憶された画像データ（プレスキャン画像データ）から、濃度ヒストグラム等を作成して画像処理条件を算出して画像処理部４０に設定する。すなわち、前記画像処理部４０による画像処理は、ＣＰＵ４２が設定した画像処理条件に応じて行われる。
なお、本発明の画像処理装置において、画像処理条件の設定は、プレスキャン画像データを用いたものに限定はされず、本スキャン画像データを用いて画像処理条件を設定してもよい。
【００１７】
表示・操作系４４は、ディスプレイ、マウス、キーボード等を有するものであり、デジタルフォトプリンタ１２全体の操作、画像や操作指示の表示、必要に応じて行われる、オペレータによる検定や画像処理条件の指示・設定等を行うものである。
【００１８】
画像データバス４６は、スキャナ１４から送られた画像データや画像処理部４０で処理された画像データ等の画像データの入出力を行うためのバスで、スキャナ１４、第１メモリ３６、第２メモリ３８、画像処理部４０、表示・操作系４４、およびプリンタ１６が接続される。
一方、制御バス４８は、制御データ等の入出力を行うためのバスで、第１メモリ３６、第２メモリ３８、画像処理部４０、およびＣＰＵ４２が接続される。
すなわち、本発明の画像処理装置１０は、画像データの入出力を行うバスと、制御バスとを独立して有している。
【００１９】
本発明の画像処理装置１０は、前述の複数の画像データメモリと、画像処理部４０におけるパイプライン処理と、および画像データと制御の独立したバスとの組み合わせにより、複数コマの画像データの連続的な処理を、高効率で高速に行うことができる。
以下、その作用に付いて説明する。
【００２０】
スキャナ１４によってフィルムＦの１コマの画像読取が開始されると、その画像データは、順次第１メモリ３６もしくは第２メモリ３８、例えば、第１メモリ３６に転送され、記憶される。
第１メモリ３６にプレスキャン画像データが全て記憶されると、ＣＵＰ４２がプレスキャン画像データから画像処理条件を算出して、画像処理部４０に設定する。
なお、画像処理条件が設定された後、必要に応じて（オペレータが選択した操作モードに応じて）、表示・操作系４４のディスプレイにこの処理条件に応じて処理された画像（プレスキャン画像）が表示され、オペレータが検定および色／濃度調整等の画像処理条件の調整を行う。
【００２１】
画像処理条件が設定されて、第１メモリ３６に本スキャン画像データが全て記憶されると、画像処理部４０は、第１メモリ３６から本スキャン画像データを読み出して、パイプライン処理によって画像処理を行う。
すなわち、画像処理部４０は、後述するプリンタ１６によって最初に記録される画像データを読み出し、まず、色／階調処理部４０ａに送って処理を行い、さらに、処理を終了した画像データを変倍処理部４０ｂ→ダイナミックレンジ処理部４０ｃ→シャープネス処理部４０ｄと順次送って画像処理を施す。一方で、色／階調処理部４０ａにおける画像処理の終了および出力に応じて、次の画像データを第１メモリ３６から読み出し、また、各処理部における画像処理の終了および出力に応じて順次画像データを次の処理部に転送し、処理を行う。このようにして、順次画像データが読み出され、色／階調処理部４０ａ〜シャープネス処理部４０ｄに送られ、１コマ分の画像データが画像処理を施される。
全ての処理を施された画像データは、順次画像処理部４０（シャープネス処理部４０ｄ）から画像データバス４６に出力され、プリンタ１６のドライバ５０に読み出される。
【００２２】
一方、スキャナ１４による１コマ分の画像読取が終了すると、スキャナ１４は、前述のように、送り手段によって１コマ分だけフィルムＦが送られ、次のコマ（２コマ目）が読取位置に搬送される。
この時点で、他方のメモリすなわち第２メモリ３８が空いていれば、スキャナ１４は続けてこのコマの画像読取を開始する。この画像データは、順次第２メモリ３８に記憶され、先のコマの画像データと同様に画像処理条件の設定等が行われる。第２メモリ３８に記憶された画像データは、画像処理条件の設定、１コマ分の画像データの第２メモリ３８への記録、および画像処理部４０による先のコマの画像処理が全て終了した時点で、画像処理部４０によって読み出されて、同様に、パイプライン処理による画像処理が行われる。
また、スキャナ１４による、このコマ（２コマ目）の画像読取を終了した時点で、他方の第１メモリ３６が空いていれば、スキャナ１４によって次のコマの読み取りが開始される。
【００２３】
すなわち、本発明の画像処理装置１０によれば、複数コマ分の画像メモリを交互に使用することにより、画像処理と転送された画像データの記憶（スキャナ１４による画像読取）とを並行して行うことができ、１つ前に読み取りを終了したコマの画像データの処理の終了を待たず、スキャナ１４によって効率よく画像読取を行うことができる。
しかも、本発明の画像処理装置１０は、画像処理部４０でパイプライン処理を行い、かつ、画像データと制御データとで独立したバスを有するので、画像データの処理を極めて高速で行うことができ、すなわち、第１メモリ３６および第２メモリ３８に画像データが記憶されてから空になるまでの時間は極短時間であり、デバイスの性能にもよるが、１コマ分の画像読取時間よりも処理時間を短くできる。
【００２４】
従って、本発明の画像処理装置１０は、複数の画像データメモリと、画像処理部４０におけるパイプライン処理と、および画像データと制御の独立したバスとを組み合わせて有することにより、連続的に読み取られた画像データを順次受けて、これを順次高速で処理して、連続的に出力することができ、極めて効率よく高速で画像データ処理を行うことができる。
そのため、本発明の画像処理装置１０によれば、スキャナ１４による連続的な画像読取や、プリンタ１６による連続的な画像記録を可能にして、極めて高速かつ効率のよい仕上りプリントＰの出力が可能になる。
【００２５】
前述のように、画像処理装置１０において、画像データバス４６に出力された画像処理済の出力画像データは、プリンタ１６のドライバ５０が読み出し、Ｄ／Ａ変換する。
ドライバ５０は、Ｄ／Ａ変換した画像データに応じて光ビームを変調するように、画像露光部５２の音響光学変調器（ＡＯＭ）５４を駆動する。
【００２６】
画像露光部５２は、光ビーム走査によって感光材料Ｚを走査露光して、前記画像データの画像を感光材料Ｚに記録するもので、図２に概念的に示されるように、感光材料Ｚに形成されるＲ感光層の露光に対応する狭帯波長域の光ビームを射出する光源５６Ｒ、以下同様にＧ感光層の露光に対応する光源５６Ｇ、およびＢ感光層の露光に対応する光源５６Ｂの各光ビームの光源、各光源より射出された光ビームを、それぞれ記録画像に応じて変調するＡＯＭ５４Ｒ、５４Ｇおよび５４Ｂ、光偏向器としてのポリゴンミラー５８、ｆθレンズ６０と、感光材料Ｚの副走査搬送手段を有する。
【００２７】
光源５６（５６Ｒ、５６Ｇ、５６Ｂ）より射出され、互いに相異なる角度で進行する各光ビームは、それぞれに対応するＡＯＭ５４（５４Ｒ、５４Ｇ、５４Ｂ）に入射する。各ＡＯＭ５４には、ドライバ５０より記録画像すなわち画像処理装置１０から供給された画像データに応じた、Ｒ、ＧおよびＢそれぞれの駆動信号が転送されており、入射した光ビームを記録画像に応じて強度変調する。
【００２８】
ＡＯＭ５４によって変調された各光ビームは、ポリゴンミラー５８の略同一点に入射して反射され、主走査方向（図中矢印ｘ方向）に偏向され、次いでｆθレンズ６０によって所定の走査位置ｚに所定のビーム形状で結像するように調整され、感光材料Ｚに入射する。なお、画像露光部５２には、必要に応じて光ビームの整形手段や面倒れ補正光学系が配置されていてもよい。
【００２９】
一方、感光材料Ｚはロール状に巻回されて遮光された状態で所定位置に装填されている。
このような感光材料Ｚは引き出しローラ（図示省略）に引き出され、副走査手段を構成する走査位置ｚを挟んで配置される搬送ローラ対６２ａおよび６２ｂによって、走査位置ｚに保持されつつ主走査方向と直交する副走査方向（図中矢印ｙ方向）に副走査搬送される。
光ビームは主走査方向に偏向されているので、副走査方向に搬送される感光材料Ｚは光ビームによって全面を２次元的に走査露光され、感光材料Ｚに本スキャン画像処理部１８より転送された画像データの画像（潜像）が記録される。
【００３０】
露光を終了した感光材料Ｚは、次いで搬送ローラ対６４によって現像部６６に搬入され、現像処理を施され仕上りプリントＰとされる。
ここで、例えば感光材料Ｚが銀塩写真感光材料であれば、現像部６６は発色現像槽６８、漂白定着槽７０、水洗槽７２ａ、７２ｂ、７２ｃおよび７２ｄ、乾燥部およびカッタ（図示省略）等より構成され、感光材料Ｚはそれぞれの処理槽において所定の処理を施され、乾燥された後、カッタによってプリント１枚に対応する所定長に切断され、仕上りプリントＰとして出力される。
【００３１】
以上、本発明の画像処理装置について詳細に説明したが、本発明は上述の例に限定はされず、本発明の要旨を逸脱しない範囲において、各種の改良や変更等を行ってもよいのはもちろんである。
【００３２】
【発明の効果】
以上、詳細に発明したように、本発明の画像処理装置によれば、スキャナから連続的に画像データを受け取り、これを高速で連続的に処理して出力することができるので、デジタルフォトプリンタのように、高速での仕上りプリントの出力を要求される用途において、スキャナによる連続的な画像読取や、プリンタによる連続的な画像記録を可能として、効率のよい高速での仕上りプリントの出力が可能になる。
【図面の簡単な説明】
【図１】本発明の画像処理装置の一例およびこの画像処理装置に画像データを供給するスキャナの一例を示すブロック図である。
【図２】図１に示される本発明の画像処理装置が画像データを出力するプリンタの概念図である。
【符号の説明】
１０  画像処理装置
１２  デジタルフォトプリンタ
１４  スキャナ（画像読取装置）
１６  プリンタ（画像記録装置）
１８  光源
２０  可変絞り
２２  色フィルタ板
２４  拡散ボックス
２６  結像レンズ
２８  ＣＣＤセンサ
３０  アンプ
３２  Ａ／Ｄ変換器
３４  ＬＵＴ（ルックアップテーブル）
３６  第１メモリ
３８  第２メモリ
４０  画像処理部
４２  ＣＰＵ
４４  表示・操作系
４６  画像データバス
４８  制御バス
５０  ドライバ
５２  画像露光部
５４  ＡＯＭ（音響光学変調器）
５６  光源
５８  ポリゴンミラー
６０  Ｆθレンズ
６２，６４  搬送ローラ対
６６  現像部
６８  発色現像槽
７０  漂白定着槽
７２  水洗槽
【図１】
0003685421.tif 000002
【図２】
0003685421.tif 000003